(57)【特許請求の範囲】
【請求項１】
ノコギリであって、
ケーシングと、
前記ケーシングに支持されると共に、回転可能なシャフトを有するモータと、
前記シャフトに取り外し可能に連結された刃と、
前記刃の上部を取り巻くと共に前記ケーシングに連結され、上端部、下端部、前端部及び後端部を有するガードと、
前記ガードの前記上端部から前記後端部に向けて形成されたポートと、
前記ポートに近接した位置で、前記ガード内に形成された第１セットのリブと、
前記ポートに近接する位置で、前記第１セットのリブと前記ポートとの間の経路を閉塞しないようにして前記ガード内に形成された第２セットのリブと、
前記ガードに移動可能に連結されると共に、前記ポートを閉じるドアとを備え、
前記ドアは、その下側にリブを有し、該リブは前記ポートにホースが挿入されたときに該ホースに係合し、
ノコギリの操作中に前記刃によって生じたダストは、前記ドアが開位置の時には前記第１セットのリブ及び前記ポートを介して排出され、前記ドアが閉位置の時には前記第１セットのリブ及び前記第２セットのリブを通過して前記ガードの下端部から排出されることを特徴とするノコギリ。
【請求項２】
前記第１セットのリブは前記第２セットのリブに対してほぼ直交する請求項１のノコギリ。
【請求項３】
前記ガードと前記ドアとの間に位置して、該ドアを前記閉位置へ付勢するバネを更に有する請求項１に記載のノコギリ。
【請求項４】
ノコギリであって、
内部に空間が形成されたガードと、
前記空間内に部分的に収められた回転可能な刃と、
前記ガードに形成され、前記空間に対するアクセスを可能とするポートと、
前記空間内で且つ前記ポートに近接して形成されたリブとを備え、
前記刃によって生じたダストは前記リブを介して前記ポートに至り、
前記リブは第１セットの排出リブ及び第２セットの戻りリブを備え、前記戻りリブは前記排出リブと前記ポートとの間の経路を閉塞しないように位置づけられており、前記刃によって生じたダストは、前記ポートが開いている時には前記排出リブを通過して前記ポートから排出され、閉じている時には前記排出リブ及び前記戻りリブを通過することを特徴とするノコギリ。
【請求項５】
ノコギリであって、
内部に空間が形成されたガードと、
少なくとも一部が前記ガード内に配置された回転可能な刃と、
前記ガードに形成されると共に前記空間に対するアクセスを可能とするポートと、
前記ガードに連結されると共に、前記ポートを閉じる閉位置と、前記空間を露出させる開位置との間を移動可能なドアとを備え、
前記ドアは、その下側にリブを有し、該リブは前記ポートに真空用管が挿入されたときに該真空用管に係合し、
前記空間内で且つ前記ポートに近接した位置に設けられた第１セットの排出リブを更に含み、
前記刃によって生じたダストは、前記ドアが開位置の時には前記排出リブ及び前記ポートを通過するようになされ、
前記空間内で且つ前記排出リブに近接した位置に設けられた第２セットの戻りリブを更に含み、
前記戻りリブは前記排出リブと前記ポートとの間の経路を閉塞しないように位置づけられており、
前記刃によって生じたダストは、前記ドアが閉位置の時には、前記排出リブを通過した後、前記戻りリブを通って前記空間内に戻るようになされている、
ノコギリ。
【請求項６】
前記排出リブ及び前記戻りリブはほぼ直交する請求項５に記載のノコギリ。
【発明の詳細な説明】
【０００１】
【発明の属する技術分野】
本発明は、ノコギリに関し、特に、円形ノコギリの刃ガード上に形成されたダスト収集ポートを有するノコギリに関する。
【０００２】
【従来の技術】
刃ガードは、円形ノコギリ、テーブルノコギリ、ラジアルアームノコギリその他の回転刃を有するノコギリにおいて、古くから使用されている。刃が回転して、木などの材料を切断する際には、ダストが発生し、ダストはガードを貫通して流される。典型的には、ダストは、ガードの開放下方端部から排出される。比較的重いおがくずは、速やかに床に落下するが、比較的軽量の空気中に浮遊しているおがくずは、落下するまでに時間がかかる。
【０００３】
刃によって発生したダストを集めるために、異なる機構が用いられている。最も一般的な機構は、ガード上にポートすなわち開口を設けるものである。ポートにはホースが連結されていて、ダストをドラム又は他の容器内に沈殿させるようにする。ガードを貫通する空気流は、ポートを介してダストの進行方向をホース内に向けるようにする。加えて、ポートを介してダストを吸引するために、ショップタイプ（shop-type）の真空装置等の真空装置を用いることもできる。あるいは、ダストを保持する容器を直接ノコギリに連結してもよい。
【０００４】
多くの円形ノコギリは、パワーツールの右側上に設けられているノコギリ刃を有する。このスタイルのノコギリ上には、ガードの外側にポートが位置づけられていることが多い。ノコギリの右側の形状ゆえに、ホースはノコギリを使用する際に邪魔にならない。最近では、ツールの左側に刃を位置づけた円形ノコギリが製造されるようになっている。しかし、刃の外側左側に位置づけられているダスト収集ポートは、ホースをユーザーの方に向けるので、ノコギリを操作しにくくしている。さらに、ホースは、切断中の刃を観察しにくくしている。また、ガードの前端部に向けて位置づけられているダスト収集ポートを有するノコギリもある。これらのポートは、ダストを直接ノコギリよりも上方又はノコギリの前方に向けることはできる。加えて、ガードの後端部にポートを位置づけることも知られている。Skinnerの米国特許第５，３２７，６４９号明細書は、ポートが上端部に向けられてガードの後端部上に設けられているノコギリを開示する。ポートは、ガードから延在する管の端部にある。Waughの米国特許５，０８４，９７２号明細書もまた、ガードの後端部に設けられているが下端部に向かうポートを開示する。先行文献は、ガードの上端部に設けられていてノコギリの後方に向かうポートを開示していない。さらに、ホースがノコギリの右側に連結される場合に利便な方向に向けられるような位置にあるポートを開示しない。
【０００５】
典型的には、従来技術のダスト収集ポートは、常時、開かれたままである。ノコギリが操作されると、ダストはポートを通過するようになる。ホースがポートに連結されていない場合には、ダストはポートの外方に突出して、直接、周囲の環境中に排出される。ホースを不要とするように、ポートを閉鎖するためにバネ負荷型ドアを用いることが知られている。従来公知のドアは、ポートのみを閉鎖し、他の機能を奏しない。
【０００６】
ホースは、種々の態様でポートに連結される。ネジ溝付のホースをポートに固着可能とするために、ポートにはネジ溝が形成されていてもよい。ポート及びホースは、さらに、ホースがノコギリの操作中に外れることがないように、他の公知の取り付け機構を有するように構成されていてもよい。これらの機構の幾つかは、使いにくい。例えば、Clawersの米国特許第４，８５６，３９４号明細書は、ガードの前端部に位置づけられているダスト収集ポートを開示する。このポートは、ポートを閉鎖するためにバネ負荷型ドアを有する。ホースをポートに連結するために、及びホースがノコギリの操作を邪魔しないようにするために、ショルダーチューブがポートに挿入される。チューブは、所望の方向に向けられ、ホースは、チューブに連結される。しかし、先行文献は、ノコギリの操作中に、ホースを所定位置に固着するためにポートドアを用いることを開示していない。
【０００７】
従来のダスト収集システムは、典型的には、ガードからダストを排出するための開口を有するのみである。ガードの形状ゆえに、ポートの周囲に形成されたポケットにダストを収集することが一般的である。ダストの収集は、ポートを介してダストを逃がすことを困難にする。米国特許第５，３２７，６４９号明細書及び米国特許５，０８４，９７２号明細書は、ガードの前端部からガードの後端部におけるポートに至るまで貫通して延在するチャネルを開示する。これらのチャネルを含むノコギリは、ダストの一部を捕捉し、ダストの一部がチャネルに入るだけである。先行技術は、ポートの周辺でチャネル内にダストを向けるガイドを用いること又は他の方法を開示しない。
【０００８】
【課題を解決するための手段】
本発明は、従来技術の欠点を解消する刃ガード上に設けられたダスト収集ポートを有するノコギリを開示する。ダスト収集ポートは、ガードの上端部上に位置づけられていて、後端部に向かい、ホースがポートに連結される場合に、ノコギリから離隔する方向にホースを向けるように、ガード内で角度が付されている。加えて、ポートにはドアを閉位置に押しつけるようになされているバネ負荷型ドアが設けられていて、ドアが開位置にあるときに、ポート内にホースを固着させる。このドアには、その下側にリブが設けられていて、リブはポートに挿入されたホースと係合するようになされている。リブ、したがってドアは、ホースをポート内に保持する補助となる。ガードはさらに、ポートの周辺に２セットのリブを含み、ダストをポート内に向けて、ダストの塊がガード内に形成されることを防止する。２セットのリブはさらに、ノコギリの操作中に、刃に損傷を与えかねない物質がポートを貫通してガード内に入ることを防止する。
【０００９】
本発明のノコギリは、モーターを収納する主ケーシングを含む。モーターは、刃が取り外し可能に連結されているシャフトを回転させる。公知のように、刃は、外周面上に、木などの材料を切断するために用いられる複数の歯を有する。ノコギリはさらに、刃の上部を取り巻くガードを含む。ガードは、上端部、下端部、前端部及び後端部を有する。ガードは、主ケーシングに隣接する主部分及び主部分に連結するカバー部分を有するように形成される。主部分及びカバー部分は、ガード内に、空間を形成する。
【００１０】
本発明は、ガード上に設けられたダスト収集ポートを提供する。開口すなわちポートは、ガードの上端部に設けられ、後端部又は後端部に近接する部分に向けられている。ポートは、ガードの外面上の位置から、ガード内の空間まで貫通して延在する。ノコギリの操作中、ダストは、ガードを通過し、ポートから排出される。ポートは、ホースを保持するように設計されている。好ましい実施形態において、ポートは、ガードの上後端部からシャフトに向かって所定角度が付されていて、ダストをガードの外に効果的に排出するようになされている。
【００１１】
ドアは、ダスト収集ポートの領域において、ガードに枢動的に連結されている。ドアは、ポートをカバーする閉位置と、内部空間へアクセス可能とする開位置と、の間で移動可能である。ノコギリの操作中に、ドアが閉じられると、ダストは、開放下端部を通過してガードから外に排出される。ノコギリの操作中に、ドアが開かれると、ダストの少なくとも一部がポートを貫通してガードから外に排出される。トーションバネをドアとガードとの間に位置づけて、ドアを閉位置に押しつけて、ノコギリの操作中にドアが偶然に開いてしまうことを防止することもできる。
【００１２】
バネ負荷型ドアは、さらに、ホースがポートに挿入されるときにホースを押しつけて、ドアが開位置にあるときにホースを保持することもできる。ドアの下側には、少なくとも１個のリブが形成されていて、さらにポート内にホースを保持する補助として作用してもよい。リブはドア上で側方に延在して、ホースのアコーディオンすなわちリブ付の外表面と係合する。さらに、ドアは、ドアを引っ張るサイドフランジを具備していてもよく、ドアを閉位置から開位置まで移動させることもできる。
【００１３】
上述のように、ノコギリの操作中に、刃で切断されて形成されたダストは、ガードを通過して、ポートを介して排出される。ダストを空間からポートまで向かわせるために、本発明は、ポート及びガードの外縁に隣接する第１セットのリブすなわち排出リブを具備する。これらのリブの方向は、ポートとしての角度に追従する。ポートの角度及び排出リブは、適量のダストがポートを通過してガードから排出されるように設計される。
【００１４】
本発明は、ドアが閉位置にあるときに、ポートの付近にある第２セットのリブを含む。第２セットのリブすなわち戻りリブは、排出リブに対してほぼ直角になるように形成されている。戻りリブは、排出リブに近接するポイントからガードの下端部に向かって、空間内で延在する。ドアが閉じられているとき、排出リブを通過させられるダストは、ドアと接触するようになる。ダストは詰まるようになる代わりに、戻りリブを通過して落下し、慣用の円形ノコギリにおけるように下端部を貫通してガードから排出される。ダストを排出リブを通過して流れるようにさせる空気流は、空間を貫通して流れて、ダストを戻りリブに流入させて、ダストの流れを再びガードに流入させ、下端部から排出させる。排出リブ及び戻りリブの数並びに正確な形状は、適宜変えることができる。
【００１５】
【好ましい実施形態】
以下、添付図面を参照しながら、本発明をさらに詳細に説明するが、本発明はこれらに限定されるものではない。
【００１６】
図１は、本発明のダスト収集ポートを組み込んだ円形ノコギリ１０を示す。本発明を円形ノコギリについて説明するが、本発明は、刃ガードを含むテーブルノコギリ、ラジアルアームノコギリその他のタイプのノコギリに関しても適用されることを理解されたい、円形ノコギリは、モータ（図示せず）を収容する主ケーシング１２を含む。モータに対する電力は、バッテリ（図示せず）その他の公知の電源によって供給される。当業者には公知のように、モータはシャフト１４及びシャフトの端部に取り付けられているノコギリ刃１６を回転させる。ノコギリ１０は、さらに、刃１６を取り巻くガード組立体１８を含む。ガード組立体１８は、ガード上部２０及びガード下部２２を含む。ガード上部２０は、刃１６の上半体をほぼカバーし、ガード組立体１８を定置に固着させるため主ケーシング１２に取り付けられている。ガード下部２２は、刃１６の下方領域をカバーし、刃１６が木などの材料を切断する際にガード上部２０内に移動する。ガード組立体１８は、当業者には公知であるように、ノブ２４によって調節されてもよい。
【００１７】
図１〜図４を参照すれば、ガード上部２０は、公知の態様で主ケーシング１２に連結されている主部分２６と、主部分２６に取り付けられているカバー部分２８と、を含む。ガード上部２０は、上端部４０と、下端部４２と、前端部４４と、後端部４６と、を有する。図示するように、主部分２６及びカバー部分２８は、それぞれ、サイド３０，３２並びにそれぞれサイドの前方縁、上方縁且つ後方縁に沿って形成されているリム３４，３６を有する。主部分２６及びカバー部分２８は、サイド３０，３２及びリム３４，３６がガード上部２０に対する内部空間３８を形成するような適宜の態様で、連結されている。ガードの下端部４６は、空間３８に対して開かれているので、刃１６は空間３８内で回転する。
【００１８】
図１〜図４において、ノコギリ１０は、ガード上部２０に形成されているダスト収集ポート４８を伴って示されている。本発明に従って形成されたポート４８は、ガード２０上の適宜の場所に位置づけられてよい。好ましい実施形態において、ポート４８は、後端部４６に近接するか又は後端部４６に向けられて、上端部４０上に位置づけられている。ポート４８は、円形であってもよいが、好ましい実施形態においては細長い楕円形である。ポート４８は、ガード上部２０の外表面と空間３８との間に通路を形成する。好ましい実施形態において、通路の方向は、ガードの上方後端部からシャフトに向かって角度が付されている。この方向及びポート４８の位置は、ホースがノコギリの使用時に邪魔にならないように、ノコギリの後部に向かってホースを位置づける。図３及び図４に示すように、ポートが開かれている場合、ノコギリの使用中に刃１６によって生じたダストは、ポート４８を通過することができる。図１及び図２に示すようにドアが閉じられている場合、ポート４８を通過しないダストは、ガード２０の開放下端部４２を通過して排出される。
【００１９】
図２及び図４を参照すれば、ガード上部２０には、第１セットのリブすなわち排出リブ５０が設けられている。排出リブ５０は、刃１６及びポート４８の間に位置づけられる。好ましい実施形態において、３個の排出リブ５０が設けられているが、適宜の数のリブを設けてよい。複数のリブ５０は、刃１６によって生じたダストが容易にリブを通過するように、十分離隔されている。リブ５０の間の距離もまた、ポート４８から空間３８に大きな物質が流入することを防止する。空間内でのリブ５０の最適な角度は、ダストがガード上部２０の前端部４４から空間３８を貫通して通過する際のダストの通路に追従する。空間３８内での及びポート４８周辺での不必要な閉塞を防止するために、リブ５０は、サイド３０，３２の内壁に形成されている三角形状タブの形状である。両方のタブの端部間に、ギャップが設けられている。
【００２０】
図２及び図４に示すように、本発明はさらに、第２セットのリブ、すなわち戻りリブ５２を含む。戻りリブ５２もまた、ポート４８に近接しているが、排出リブ５０にほぼ直交して空間３８内に位置づけられている。図示するように、戻りリブは、排出リブ５０及びポート４８の間の経路を閉塞しない。比較的小さな戻りリブ延長部５４を、戻りリブ５２の間でポート４８に至るまで設けてもよい。好ましい実施形態において、２個の戻りリブ５２が示されているが、戻りリブは、適宜の数を設けることができる。戻りリブ５２は、ポート４８が閉じられている場合に、刃によって生じたダストが排出リブ５０から戻りリブ５２まで貫通して戻るに十分な距離だけ離隔されている。戻りリブ５２もまた、ポート４８が開かれている場合に、大きな物質が空間に流入することを防止する。空間３８内での戻りリブ５２の方向は、排出リブから、空間を通過して、ガード上部２０の下端部４２に向かうダストの経路に追従する。排出リブ５０と同様に、戻りリブもサイド３０，３２の内壁に形成されたタブとしての形状であってもよい。タブの両端部の間には、ギャップが設けられている。好ましい実施形態において、戻りリブ５２は湾曲されているので、空間３８を通過する適宜の経路にダストを向けさせることができる。
【００２１】
図示されているように、本発明は、閉位置及び開位置の間で枢動的に移動可能なポートドア５６を含む。ドア５６は、ドアが閉位置にあるときにポートを完全にカバーし、ポート４８を貫通してダストが逃げないようにする形状になされている。よって、ノコギリ１０は、ダスト収集システムを具備しない標準的なノコギリとして操作される。開位置において、ドア５６はポート４８を露出させるので、ガード２０内に開口を与える。
【００２２】
図８を参照すれば、ドアは、一端部から延在するタブ５８を有する細長い要素である。タブ５８は、軸６０を保持する穴５９を含む。軸６０は、ガード上部２０によって、定置に保持される。ドア５６は、軸６０を中心として、開位置と閉位置との間で枢動する。ドアをガードに枢動的に連結するための他の手段が用いられてもよい。さらに、トーションバー６２をドア５６及びガード２０の間に位置づけて、ドア５６を閉位置に押しつけることもできる。バネゆえに、ドアが偶然に開くことなく、ノコギリを逆さ位置で用いることもできる。詳細は後述するが、バネ負荷型ドア５６は、ポート４８に挿入されたホースと係合し、ノコギリが逆さになっているときその他の場合にも、ドア５６が開かないようにする。ドア５６には、さらに、ドアの細長い縁から延在するフランジ６４が設けられている。ユーザーは、フランジ６４を握って、ドア５６を開けることができる。ドア５６の下側には、少なくとも１個の保持リブ６６がフランジ６４の間で側方に延在する。保持リブは、ドア５６の下側から延在して、ポート４８に挿入されているアコーディオンタイプのホース６８のリセス内に嵌合する。多数のリブが設けられる場合には、これらのリブは、ホース６８内の異なるリセスの間に嵌合するために十分な距離だけ離隔されている。
【００２３】
図５〜図７に示すように、ホース６８は、ポート４８内に挿入可能である。アコーディオンタイプのホースを用いることが好ましいが、本発明はいかなるスタイルのホースでも適用可能である。ホース６８を挿入するために、ドア５６は、開位置に引っ張られ、ホースの端部が空間３８内に存在するように、ホース６８はポート４８内に挿入される。好ましくは、ホース６８の直径は、ポート４８の形状に対応して、ダストがホース６８とガード２０との間に設けられているギャップを貫通して逃げないようにする。ホース６８が挿入されるとき、端部は少なくとも１個の戻りリブ５２と係合可能で、ホースをポート４８内に固着する。ホース６８が正確に挿入されると、ドア５６は開放可能となり、ホース６８に対して係合しているドアの保持リブ６６と共にホース６８を押しつける。アコーディオンタイプのホースが用いられる場合には、ドアリブ６６は、ホースのリセス内に嵌合して、ドアリブをポート４８内に固着させる。ポート４８の角度ゆえに、ホースは、ノコギリ１０の後方に向けられる。好ましくは、ホース６８は、ユーザーの腕の下側になり、使用しているツールを隠さない。
【００２４】
使用時には、ダスト収集ポート４８は、刃１６により生じたダストを刃及び木の加工面から離隔する方向に向けるために用いられる。したがって、ドア５６が開位置にあり、保持リブ６６によって定置に保持されているときに、ホース６８は、ポート４８に挿入される。刃１６が木を切断する際に、ダストは、前端部４４にて、ガード２０内に向けられる。刃１６が回転することによって、ガード２０を貫通する流れを生じさせ、ダストは空間３８を貫通して運ばれる。ダストが空間の上方後端部に到達すると、ダストは、排出リブ５０を貫通して、ポート４８を介してホース６８内に運ばれる。排出リブ５０を貫通してホース６８までダストを引き出すために、ショップタイプ（shop-type）の真空装置などの真空装置（図示せず）を用いることもできる。ホース５６に流入しないダストは、空間３８を貫通して流れ続けて、開放下端部４２を介して排出される。このダストは、戻りリブ５２を貫通して通過してもよい。ホースが用いられない場合には、ドアは、トーションバネ６２によって、閉位置に押しつけられる。ガードの前端部４４にて形成されたダストは、空間３８を貫通して、下端部から排出される。ポート４８の近傍において、ダストは排出リブ５０に流入し、排出リブ５０から排出され、次いで、戻りリブ５２を通過する。したがって、ダストは、ポート周辺の領域において塊を形成しない。
【００２５】
本発明を好ましい実施形態を参照しながら考え得る限り詳細に説明してきたが、他の実施形態も可能である。したがって、本発明の範囲は、上述の好ましい実施形態の記述に限定されるものではない。
【図面の簡単な説明】
【図１】図１は、ポートドアが閉位置にあるダスト収集ポートを有する本発明による円形ノコギリの説明図である。
【図２】図２は、ポートドアが閉位置にあり、ポート開口並びに排出リブ及び戻りリブを有するガードの主部分を示す。
【図３】図３は、ポートドアが開位置にある本発明の円形ノコギリを示す。
【図４】図４は、ポートドアが開位置にあり、ポート並びに排出リブ及び戻りリブを有するガードの主部分を示す。
【図５】図５は、ポートドアが開位置にあり、真空ホースがポートに挿入されているダスト収集ポートを示す。
【図６】図６は、真空ホースがポートに挿入されているガードの主部分を示す。
【図７】図７は、図６の拡大図である。
【図８】図８は、本発明の要素の分解図である。
【符号の説明】
１０：ノコギリ
１２：主ケーシング
１６：刃
１８：ガード組立体
２０：ガード上部
３８：空間
４８：ダスト収集ポート
５０：排出リブ
５２：戻りリブ
５６：バネ負荷型ドア
６２：トーションバネ
６４：フランジ
６６：保持リブ
６８：ホース
【図１】
0003761771.tif 000002
【図２】
0003761771.tif 000003
【図３】
0003761771.tif 000004
【図４】
0003761771.tif 000005
【図５】
0003761771.tif 000006
【図６】
0003761771.tif 000007
【図７】
0003761771.tif 000008
【図８】
0003761771.tif 000009